(57)【特許請求の範囲】
【請求項１】
第１のネットワークエレメント（Ａ）と少なくとも第２のネットワークエレメント（Ｆ）との間の少なくとも２つのパスセグメントを含む同期階層ネットワークシステム中でデータを伝送する方法であって、タンデムコネクションモニタリング（ＴＣ）法が、前記パスセグメント上で情報の伝送を監視するために確立されるものにおいて、
信号伝送パスの遮断またはスイッチング動作の後の正しいマルチフレームアライメントを、最初に受信されたフレームアライメント信号（ＦＡＳ）値の検出に基づいて検出する
ことを特徴とする方法。
【請求項２】
“予測位置においてＦＡＳを発見”という検出が、フレームアライメント信号の予測位置に無関係なフレームアライメントサーチを実行する“ＦＡＳを発見”という検出により置き換えられ、全ての検出されたフレームアライメント信号（ＦＡＳ）が、有効なフレームアライメント信号（ＦＡＳ）として受け入れられる
ことを特徴とする請求項１記載の方法。
【請求項３】
新しいフレームアライメント信号（ＦＡＳ）と古いフレームアライメント信号（ＦＡＳ）がオーバラップし、かつ新しいフレームアライメント信号（ＦＡＳ）が古いフレームアライメント信号（ＦＡＳ）よりも後で受信される時点で保護スイッチ動作が起きるスイッチング状況を取り扱うため、かつ状態機械がアウトオブマルチフレーム（ＯＯＭ）状態に入ることを防止するために、さらなる“インマルチフレーム２（ＩＭ２）”状態信号を生成するステップを含む
ことを特徴とする請求項１または２記載の方法。
【請求項４】
“インマルチフレーム２（ＩＭ２）”状態は、遮断またはスイッチング動作の後に受信信号の新しいフレームアライメントに対する検出期間を延長するために使用される
ことを特徴とする請求項１ないし３のいずれかに記載の方法。
【請求項５】
アウトオブマルチフレーム（ＯＯＭ）状態に入らず、したがってオールワン挿入のような関連づけられた標準化された後続の動作が開始されない
ことを特徴とする請求項１ないし４のいずれかに記載の方法。
【請求項６】
請求項１ないし５のいずれかによるデータ伝送方法に特に適合される同期階層ネットワークシステムであって、
第１のネットワークエレメント（Ａ）と少なくとも第２のネットワークエレメント（Ｆ）との間の少なくとも１つのパスセグメントを含み、
タンデムコネクションモニタリング（ＴＣＭ）方法が、前記パスセグメント上の情報を監視するために確立されるものにおいて、
前記最初に受信されたフレームアライメント信号（ＦＡＳ）値の検出に基づく信号伝送パスの遮断またはスイッチング動作の後の正しいマルチフレームアライメントの検出に基づいて、信号伝送の遮断またはスイッチング動作の後のマルチフレームアライメントの喪失による信号遮断を減少させるための手段を有する
ことを特徴とするシステム。
【請求項７】
全ての受信したフレームアライメント信号を有効なフレームアライメント信号として受け入れるための手段を含む
ことを特徴とする請求項６記載のシステム。
【請求項８】
さらなる“インマルチフレーム２（ＩＭ２）”状態信号を生成するための手段を含み、前記さらなる“インマルチフレーム２（ＩＭ２）”状態の間にまたは前記さらなる“インマルチフレーム２（ＩＭ２）”状態信号のシグナリングにより、新たに受信されるフレームアライメント信号（ＦＡＳ）に対する検出期間が延長される
ことを特徴とする請求項６または７記載のシステム。
【発明の詳細な説明】
【０００１】
【発明の属する技術分野】
本発明は、マルチフレームアライメント(multiframe alignment)に係り、特に、ノンイントラシブモニタリング（ＮＩＭ, Non Intrusive Monitoring）トレイルターミネーション（ＴＴ, Trail Termination）シンクファンクション(sink function)におけるタンデムコネクショントレイル(tandem connection trail)のため、およびＳＤＨ（同期デジタル階層、Synchronous Digital Hierarchy）およびＳＯＮＥＴ（同期光網、Synchronous Oprical Network）システムにおけるＴＴシンクファンクションのためのマルチフレームアライメントに関する。
【０００２】
【従来の技術】
本発明が解決しようとする問題は、典型的には、タンデムコネクショントレイル内の保護スイッチの場合に、同期デジタル階層（ＳＤＨ）および同期光網（ＳＯＮＥＴ）システムにおいて生じる。ＳＤＨおよびＳＯＮＥＴシステムのよりよい理解のために、"Understanding of SONET/SDH", ISBN 0-9650448-2-3, Andan Publisher, New Jersey を参照のこと。
【０００３】
上述したネットワークシステムにおいて、タンデムコネクションは、エンド・ツー・エンドパスと無関係に動作する管理モニタリングドメインを提供することが意図されている。タンデムコネクショントレイルの確立のためのルールは、ＥＴＳＩ  ＥＮ  ３００  ４１７−４−１およびＩＴＵ−Ｔ  Ｇ．７８３に詳細に説明されている。
【０００４】
タンデムコネクショントレイルの動作および確立は、可能な限りネットワークシステムの残りの部分に小さい影響を与えるようにしなければならない。所定の状況下において（即ち、スイッチング動作がタンデムコネクショントレイル内で実行される場合）、現在のバージョンの標準による現行のタンデムコネクションモニタリング（ＴＣＭ）の実行は、信号妨害を不必要に拡大する。
【０００５】
【発明が解決しようとする課題】
したがって、本発明の目的は、保護スイッチにより生じる信号妨害の拡大を防止することにより、ＳＤＨ（シンクロナスデジタルハイエラキー）またはＳＯＮＥＴ（シンクロナスオプティカルネットワーク）システムにおけるタンデムコネクショントレイル内の保護スイッチの影響を減少させることである。
【０００６】
【課題を解決するための手段】
この目的は、請求項１に規定された改良されたマルチフレームアライメント方法により達成され、また請求項６に規定された改良された同期階層ネットワークシステムにより達成される。
【０００７】
いずれかの受信されたフレームアライメント信号（ＦＡＳ）値に基づいて、信号伝送パスの妨害（遮断、ｉｎｔｅｒｒｕｐｔｉｏｎ）、歪み、またはスイッチング動作の後に、整合された信号受信またはインマルチフレーム（ｉｎ  ｍｕｌｔｉｆｒａｍｅ）信号伝送状態を検出することは、所定の位置のみにおいて受信されたフレームアライメント信号（ＦＡＳ）をサーチする一方で、オールワン挿入（ｉｎｓｅｒｔｉｏｎ  ｏｆ  ａｌｌ  ｏｎｅ）により生じる信号伝送のいかなる不適当な妨害も防止する。
【０００８】
結果として、「予測された位置においてＦＡＳを発見した」信号が、「ＦＡＳを発見した」信号により置き換えられ、検出されたマルチフレームアライメント信号の位置に関わらず生成され、検出されたマルチフレームアライメント信号（ＦＡＳ）の全てが、有効なフレームアライメント信号（ＦＡＳ）として受け入れられる場合、最短のリアライメント(realignment）時間ピリオドが実現される。
【０００９】
【発明の実施の形態】
本発明は、以下に、好ましい実施形態に基づいてより詳細に説明される。しかし、よりよい理解のために、可能性のあるスイッチングを伴うタンデムコネクショントレイルを含むネットワークの標準的構成が、図１に示される。
【００１０】
一方向のタンデムコネクショントレイルが、ネットワークエレメントＡ（ＮＥＡ）とネットワークエレメントＦ（ＮＥ  Ｆ）との間に確立される。ここで、ＮＥ  Ａは、タンデムコネクションソース機能を持ち、ＮＥ  Ｆはタンデムコネクションシンク機能を持つ。ＮＥ  ＡとＮＥ  Ｆとの間のサブネットワークコネクションが、保護される。
【００１１】
ワーカー(worker)サブネットワークコネクションは、ＮＥ  Ｂ−ＮＥ  Ｃ−ＮＥ  Ｄ（信号ａ）により、保護サブネットワークコネクションはＮＥ  Ｅ（信号ｂ）による。保護メカニズムは、「サブレイヤモニタードサブネットワークコネクション保護」（ＳＮＣ／Ｓ）であり、これは、２つのサブネットワークコネクション（ＳＮＣ）の各々に対するタンデムコネクションノンイントラシブモニタリングトレイルターミネーションシンク機能の結果に基づく。
【００１２】
保護スイッチ動作の場合において、タンデムコネクションシンク機能は、以前と同様、信号ａの代わりに信号ｂを受信する。
【００１３】
異なるルートを使用するネットワークにより経路選択されたデジタル信号は、一方において、光ファイバまたはケーブル上の伝送遅れ、および他方において、異なるネットワークエレメントにおける処理時間により生じた異なるランタイム(run time)を経験することになる。したがって、２つの信号は、共通ポイント（ここでは、ＮＥ  Ｆにおける保護スイッチセレクタの入力）に異なる位相で到着することになる。
【００１４】
１ｋｍのケーブルまたは光ファイバは、約５マイクロ秒の転送遅れを生じることに留意すべきである。保護リングアーキテクチャにおいて、短いルートは、２つの隣接ノード間にあるが、長いルートはリング中の全ての他のノードを含むことがある。典型的なアプリケーションにおいて、位相差は、ＳＤＨ／ＳＯＮＥＴフレームの数個分の長さの範囲内にあり得る。以下のテキストにおいて、ＳＤＨ表記（ＶＣ）のみが使用される。
【００１５】
図２は、２つの信号間の１フレーム長よりも大きい位相差Ｔを有する信号ａおよびｂを示す。信号は、ＶＣフレーム（…，ｘ−２，ｘ−１，ｘ，ｘ＋１，ｘ＋２，…）を含む。短いルートからより長いルートへのスイッチングは、多数のフレームを２度受信する結果となるが、長いルートから短いルートへのスイッチングは、しばしば、多数のフレームの喪失を生じることになる可能性が大きい。これは、タンデムコネクションシンク機能における所定の結果となる。
【００１６】
タンデムコネクションシンクにおけるタンデムコネクショントレイルの動作は、標準化されたプロトコルに基づく。このプロトコルは、Ｎ１／Ｎ２バイトに含まれるフレームアライメント信号（ＦＡＳ）をチェックすることを必要とする。フレームアライメント信号（ＦＡＳ）は、７６フレームのタンデムコネクションマルチフレームのうちのフレーム１ないし８における“１１１１  １１１１  １１１１  １１１０”ビットパターンとして定義される。
【００１７】
マルチフレームアライメントをチェックするプロセスが、図３に示されている。マルチフレームアライメントは、バイトＮ１／Ｎ２のうちのビット７ないし８の中でフレームアライメント信号（ＦＡＳ）パターンをサーチすることに基づいて見いだされる。インマルチフレーム（ＩＭ）状態において、即ち正しい信号伝送の状態において、信号は、アライメントのための予測されたマルチフレーム開始位置において連続的にチェックされる。
【００１８】
しかし、フレームアライメントは、２つの連続するフレームアライメント信号（ＦＡＳ）が誤って検出される場合、失われた（アウトオブマルチフレーム（ＯＯＭ）状態に入った）と見なされる。フレームアライメントは、１つの誤りのないフレームアライメント信号（ＦＡＳ）がいずれかの位置において見いだされる場合、復元された、即ちインマルチフレーム（ＩＭ）状態に入ったと見なされる。
【００１９】
タンデムコネクションシンク機能における保護スイッチ動作は、前述した異なる信号遅れによるタンデムコネクションシンクにおけるＮ１／Ｎ２バイトの喪失または重複を多分生じることになる。これは、タンデムコネクションマルチフレーム構造の正しい長さが、妨げられ、フレームアライメント信号（ＦＡＳ）が予想されたマルチフレーム開始位置においてもはや見いだされなくなるので、アライメントプロセスがインマルチフレーム状態から出て、即ちアウトオブマルチフレームＯＯＭ状態に入ることになる。そして、アウトオブマルチフレーム（ＯＯＭ）状態は、ロスオブタンデムコネクション欠陥（ｄＬＴＣ, Loss of Tandem Connection defect）と解釈され、これは、オールワン挿入のような結果動作を生じる。結果として、ＩＭ状態に再び入るまで、出てくる信号がオールワンで上書きされる。
【００２０】
図４は、保護スイッチにより生じる生成される欠陥の依存性およびタイムシーケンスを示す。シーケンスＩＭ（ＴIM＝ｍａｘ．１９ｍｓ／７６ｍｓ）→ＯＯＭ（ＴOOM＝ｍａｘ．９．５ｍｓ／３８ｍｓ）→ＩＭは、１２５マイクロ秒ＶＣフレーム（ＶＣ−４，ＶＣ−４−ＸｃおよびＶＣ−３）に基づくタンデムコネクション信号に対して約ＴALL＝ｍａｘ．２８．５ｍｓを必要とし、５００マイクロ秒ＶＣフレーム（ＶＣ−２，ＶＣ−１２およびＶＣ−１１）に基づくタンデムコネクション信号に対して約ＴALL＝ｍａｘ．１１４ｍｓを必要とする。
【００２１】
これは、約ＴOOM（ｍａｘ．９．５／３８ｍｓ）に対するトラフィックを回復した保護スイッチアクティビティの約ＴIM（ｍａｘ．１９／７６ｍｓ）後、再び出ていく信号が妨げられることを意味する。タンデムコネクショントレイルが確立されない場合、この妨害は存在しない。
【００２２】
上述したような拡大される信号妨害を防止するために、本発明に従って、保護スイッチにより生じるデータ遅れの差が、ロスオブタンデムコネクション欠陥（ｄＬＴＣ）によるトラフィック妨害を生じないまたは拡大しないように、タンデムコネクションシンクプロセスを変更することが必要である。
【００２３】
このアプローチで、本発明の改良は、マニュアルまたは強制保護スイッチの場合に主に有効である。これらの場合において、スイッチング動作により生じる信号妨害は、非常に短く（１０ｍｓより短い）、かつマルチフレーム自体は、スイッチングプロセスの前に妨げられない。マルチフレームがスイッチング動作が開始される前に失われる（例えば、ＳＳＦ，ＴＣ−ＵＮＥＱ）場合、ここで説明された解決手段の利点は小さくなる。
【００２４】
改良されたマルチフレームアライメントプロセッシング
第１の実施形態において、マルチフレームアライメントプロセスは、スイッチング動作により生じるデータ遅れの差が、マルチフレームアライメントステートマシンにおいてもはやＩＭ→ＯＯＭ→ＩＭシーケンスとならないように、変更される。これを達成するために、状態変化Ｂは、“予測位置においてＦＡＳが見いだされた”から単に“ＦＡＳが見いだされた”に変更される。その位置に関わらず、全ての検出されたフレームアライメント信号（ＦＡＳ）は、有効なものとして、即ちこの実施形態による“ＦＡＳが見いだされた”信号として受け入れられ、新たに整合されたまたは再同期化された信号伝送の受け入れの不必要な遅れが防止される。
【００２５】
また、“インマルチフレーム２（ＩＭ２）”状態が追加される。この新しい“インマルチフレーム”状態は、特定のスイッチング状況を取り扱うために必要である。古いフレームアライメント信号（ＦＡＳ）および新しいフレームアライメント信号の両方が受信されかつ新しいフレームアライメント信号（ＦＡＳ）が古いフレームアライメント信号よりも後に受信される時点で保護スイッチ動作が起きる場合、ステートマシン（状態機械）（図３）は、このＩＭ２状態なしにアウトオブマルチフレーム（ＯＯＭ）状態に入ることになる。この状況は、図６に示されている。新しい処理状態図は、図５に示されている。
【００２６】
マルチフレームアライメント状態および相対的な位置と無関係に、全ての受信されたフレームアライメント信号（ＦＡＳ）の受け入れは、タンデムコネクション中の保護スイッチにより生じるＩＭ→ＯＯＭ→ＩＭのような状態変化を防止する。そのような妨害は、現在の構成において強制的なものである。
【００２７】
改良されたマルチフレームアライメント処理で、スイッチング動作の後の新しいマルチフレーム位置は、即座に受け入れられる。したがって、アウトオブマルチフレーム（ＯＯＭ）状態に入らず、関連する後続の動作、例えばオールワン挿入は開始されない。
【００２８】
本発明に従って、スイッチング動作により引き起こされる信号妨害は、可能な限り短くされる。
【００２９】
しかし、この構成で、誤って検出されるフレームアライメント信号（ＦＡＳ）の可能性は、依然として受け入れ可能であるが僅かに増大する。標準に定義されたＮ１／Ｎ２バイトプロトコルは、図７および８に示されている。これは、全てのタンデムコネクショントレイルトレース識別子（ＴＣ−ＴＴＩ, Tandem Connection Trail Trace Identifier）バイトの最上位ビットにおける“０”を必要とする。また、最後に受信されたタンデムコネクションマルチフレームバイトは、受信された値“０”と共に６ビットを含む。
【００３０】
ＦＡＳを誤って検出するために、ビット誤りは、データ信号中に存在しなければならない。誤ったフレームアライメント信号（ＦＡＳ）が検出される２つの状態がある。
【００３１】
第１の状態は、第１のＴＣ−ＴＴＩバイトの最上位ビット中のビット誤りとの組合せにおける“１１１１１１１”のＣＲＣ−７チェックサムおよび第１のＴＣ−ＴＴＩバイトの他の７ビットに含まれる“１１１１１１０”の値が生じる場合である。
【００３２】
第２の状態は、２つの連続的なＴＣ−ＴＴＩバイトの最上位ビット中の２つのビット誤りが、これらのバイトのうちのビット２ないし８に含まれる“１１１１１１１”および“１１１１１１０”のＴＣ−ＴＴＩ値との組合せが受信される場合である。
【００３３】
しかし、誤ったフレームアライメント信号（ＦＡＳ）が、受け入れられる場合であっても、この不一致は、次の（正しい）フレームアライメント信号（ＦＡＳ）の受信の後に即座に訂正される。トレース識別子が、誤りのＦＡＳに対する必要なビット誤りによりとにかく誤りであることが宣言されるとき、追加的な誤りは検出されないことになる。
【００３４】
アウトオブマルチフレーム（ＯＯＭ）フィルタリング
本発明の別の好ましい実施形態において、アウトオブマルチフレーム（ＯＯＭ）ステートにより生じるオールワンの挿入は、所定時間抑制される。この解決においてオールワン挿入を生じるロスオブタンデムコネクション（ｄＬＴＣ）欠陥は、最新技術であるとき、アウトオブマルチフレーム（ＯＯＭ）状態から直接的に導かれない。アウトオブマルチフレーム（ＯＯＭ）状態は、現在定義されているように（図３を参照）検出されるが、ｄＬＴＣは、アウトオブマルチフレーム（ＯＯＭ）が所定の時間インターバルに対してアクティブである場合にのみセットされる。
【００３５】
インターバルの長さは、０ないし３個のタンデムコネクションマルチフレームで構成可能である。ゼロマルチフレームの期間が選ばれる場合、全体のアルゴリズムは現在の構成と同様に振る舞う。１よりも大きいいずれか他の値は、アウトオブマルチフレーム（ＯＯＭ）ステートが選択されたインターバル長さに対してアクティブになるまで、オールワン挿入を抑制する。
【００３６】
保護スイッチの場合において、ＩＭ→ＯＯＭ→ＩＭのような変化が起きることになるが、アウトオブマルチフレーム（ＯＯＭ）ステートは、２ＴＣＭマルチフレームよりも短く、結果の動作“オールワン挿入”は抑制されることになる。これは、ロスオブタンデムコネクション（ｄＬＴＣ）信号がセットされないからである。この解決のためのブロック図が、図９に示されている。
【００３７】
第１の解決方法に対するこのプロセスの利点は、ビット誤りの耐性が、現在使用されているプロセスと同じように高いことである。欠点は、ロスオブタンデムコネクション（ｄＬＴＣ）に対する検出時間が増大することである。
【００３８】
さらなる新規な改良は、ＯＯＭステートの場合におけるｄＴＩＭ欠陥の抑制である。これは、保護スイッチ動作によりｄＴＩＭ欠陥が検出されることを防止する。したがって、検出されたｄＴＩＭ欠陥に対する後続の動作であるオールワン挿入により生じる信号妨害の拡大がない。
【００３９】
【発明の効果】
以上述べたように、本発明によれば、保護スイッチにより生じる信号妨害の拡大を防止することにより、同期デジタル階層（ＳＤＨ）または同期光網（ＳＯＮＥＴ）システムにおけるタンデムコネクショントレイル内の保護スイッチの影響を減少させることができる。
【図面の簡単な説明】
【図１】“サブレイヤモニタードサブネットワークコネクションプロテクション”（ＳＮＣ／Ｓ）と呼ばれる保護メカニズムを有するタンデムコネクショントレイルを含むネットワークを示す図。
【図２】スイッチング点における２つのサブネットワーク接続の位相関係を示す図。
【図３】現在使用されている“マルチフレームアライメントプロセス”を示す状態図。
【図４】状態変化の間の従属性を示す図。
【図５】本発明の第１の実施形態による適合されたマルチフレームアライメントプロセスを示す状態図。
【図６】スイッチングにおいてフレームアライメント信号（ＦＡＳ）がオーバラップする間の保護スイッチ動作を示す図。
【図７】Ｎ１／Ｎ２バイトのビット７ビット８のタンデムコネクションマルチフレーム構造を示す図。
【図８】タンデムコネクションマルチフレームのビット７ないしビット８のフレーム＃７３−７６の構造を示す図。
【図９】“アウトオブマルチフレーム（ＯＯＭ）フィルタリング”を示すブロック図。
【図１】
0004629201.tif 000002
【図２】
0004629201.tif 000003
【図３】
0004629201.tif 000004
【図４】
0004629201.tif 000005
【図５】
0004629201.tif 000006
【図６】
0004629201.tif 000007
【図７】
0004629201.tif 000008
【図８】
0004629201.tif 000009
【図９】
0004629201.tif 000010